(57)【要約】【課題】プリンタがコンテンツの全ての情報（動画や音楽データ等も含む）を獲得しておき、ユーザが選択した情報を、ユーザが指示した転送先に送信できるようにすること。【解決手段】ファックスの送受信が可能なファックスモジュールと、電子メールの送受信が可能な電子メール送受信モジュールと、インターネットへの接続が可能なインターネット接続モジュールと、インターネット上にアップされたコンテンツをダウンロードするダウンロードモジュールと、ダウンロードしたコンテンツの中身を解釈し、コンテンツに含まれる任意の情報ごとに分離することを可能とするコンテンツ解釈モジュールと、前記ダウンロードモジュールが獲得したコンテンツや前記解釈モジュールで分離された情報等の記憶が可能な情報記憶モジュールと、ユーザからの指示を受け付ける操作部モジュールと、を備える。【選択図】図５
2005229520.tif 000002
【特許請求の範囲】
【請求項１】
ファックスの送受信が可能なファックスモジュールと、電子メールの送受信が可能な電子メール送受信モジュールと、インターネットへの接続が可能なインターネット接続モジュールと、インターネット上にアップされたコンテンツをダウンロードするダウンロードモジュールと、ダウンロードしたコンテンツの中身を解釈し、コンテンツに含まれる任意の情報ごとに分離することを可能とするコンテンツ解釈モジュールと、前記ダウンロードモジュールが獲得したコンテンツや前記解釈モジュールで分離された情報等の記憶が可能な情報記憶モジュールと、ユーザからの指示を受け付ける操作部モジュールと、を備えることを特徴とする印刷装置。
【請求項２】
前記コンテンツ解釈モジュールは、前記ダウンロードモジュールによってインターネットからダウンロードされたコンテンツを読み込み、解釈し、コンテンツ中に含まれるテキスト、イメージ、動画、音声等を分離し、それぞれの情報を元コンテンツとは別に前記情報記憶モジュールに記憶することを特徴とする請求項１記載の印刷装置。
【請求項３】
前記操作部モジュールは、前記記憶モジュールに記憶されているコンテンツの一覧をユーザに示し、ユーザが希望すれば選択したコンテンツを任意の宛先に転送することが可能で、その際前記操作部モジュールは、ユーザに対してユーザ電子メールアドレスやファックス番号等の転送先情報の入力を促すことを特徴とする請求項１記載の印刷装置。
【請求項４】
前記操作部モジュールは、ユーザからコンテンツの転送先情報を入力された場合、コンテンツ中のどの情報を転送するかをユーザに決定させることを特徴とする請求項１記載の印刷装置。
【請求項５】
前記操作部モジュールは、ユーザからコンテンツの転送先情報を入力された場合、コンテンツ中に含まれるテキスト、イメージ、動画、音声等のうち、どれを転送するかをユーザに決定させることを特徴とする請求項１記載の印刷装置。
【請求項６】
前記ダウンロードモジュールは、任意の時刻に前記インターネット接続モジュールを利用しインターネット上の任意のコンテンツにアクセスし、ダウンロードし、更に前記解釈モジュールを通することで、そのコンテンツを前記情報記憶モジュールに記憶することを特徴とする請求項１記載の印刷装置。
【発明の詳細な説明】
【技術分野】
【０００１】
本発明は、印刷装置に関するものである。
【背景技術】
【０００２】
従来のプリンタは、インターネットにアクセスしてコンテンツを獲得してもコンテンツの印刷のみが可能であった。コンテンツに含まれるテキストはユーザの電子メールアドレスへ、イメージデータはＦＡＸへ送信するというようなことはできなかった（非特許文献１参照）。
【０００３】
又、今後はコンテンツの中身に音声や動画等、印刷とは掛け離れた情報が多く入ってくることが考えられる。例えば、コンテンツの中に音楽データがあった場合、ユーザとしては印刷と同時にその音楽データも獲得できることが好ましい。
【０００４】
【非特許文献１】ＬＢＰ−ｌ８２０／ｌ６２０かんたん操作ガイド、キヤノン株式会社、２００２年
【発明の開示】
【発明が解決しようとする課題】
【０００５】
これらの問題は、プリンタがコンテンツの全ての情報（動画や音楽データ等も含む）を獲得しておき、ユーザが選択した情報を、ユーザが指示した転送先に送信できるようになれば解決する。
【０００６】
本発明は上記事情に鑑みてなされたもので、その目的とする処は、データの用途にあった転送が可能である印刷装置を提供することにある。
【課題を解決するための手段】
【０００７】
上記目的を達成するため、本発明に係る印刷装置は、ファックスの送受信が可能なファックスモジュールと、電子メールの送受信が可能な電子メール送受信モジュールと、インターネットへの接続が可能なインターネット接続モジュールと、インターネット上にアップされたコンテンツをダウンロードするダウンロードモジュールと、ダウンロードしたコンテンツの中身を解釈し、コンテンツに含まれる任意の情報ごとに分離することを可能とするコンテンツ解釈モジュールと、前記ダウンロードモジュールが獲得したコンテンツや前記解釈モジュールで分離された情報等の記憶が可能な情報記憶モジュールと、ユーザからの指示を受け付ける操作部モジュールと、を備えることを特徴とする。
を印刷装置に備える。
【発明の効果】
【０００８】
本発明によれば、ユーザはプリンタがインターネットから獲得したコンテンツを任意の宛先に転送することが可能で、更に転送するデータをユーザが選択することで、テキストデータは電子メールへ、画像データはＦＡＸへといように、データの用途に合った転送が可能になる。
【０００９】
又、プリンタはインターネットのコンテンツに含まれる情報を全て獲得しておくので（例えば印刷とは関係ない音楽データ等も）、ユーザは必要ならば印刷とは関係ない情報でもそれらを選択して他の機器に転送することが可能になる。
【００１０】
更に、転送する情報を選択することで、ネットワーク全体の負荷の軽減も期待できる。
【発明を実施するための最良の形態】
【００１１】
本実施の形態の構成を説明する前に、本発明を適用するに好適なマルチファンクションプリンタ（以下、プリンタと記述）の構成について図１を参照しながら説明する。尚、本実施の形態に係るプリンタは、レーザビームプリンタに限られるものではなく、他のプリント方式のプリンタでも良いことは言うまでもない。以下、図１を参照して本発明の実施の形態を詳細に説明する。
本プリンタは、プリンタ本体１の上部に原稿読取り部２を備え、プリンタ本体１の下部に記録部３を備えている。
先ず、原稿読み取り部２の構成を原稿（不図示）の流れに沿って説明する。
原稿は原稿台４上にセットされる。原稿台４上にセットされた原稿は、繰り出しローラ５によって繰り出されると、搬送ローラ対６によって一定の速度で搬送される。この搬送過程で原稿下面の情報が読み取りスキャナ７によって順次読み取られる。読み取りスキャナ７によって読み取られた画像データは、磁気ディスク若しくは光ディスク等の不図示の画像データ記録手段で記録された後、後述する記録部３によって記録紙上に記録される。
読み取りスキャナ７を通過した原稿は、搬送ローラ対８によって搬送された後、排紙ローラ対９によって機外の排紙トレイ１０上へ排紙される。
次に、記録部３の構成を記録紙Ｓの流れに沿って説明する。
記録紙Ｓは、給紙カセット１１内にセットされている。又は給紙トレイ１２上にセットされている。この給紙カセット１１と給紙トレイ１２は、オペレータが選択的に用いる。給紙カセット１１内にセットされた複数枚の記録紙Ｓは、後端側の支軸１３を中心に上下の方向に回動可能であり、且つ、先端側を押上げばね１４によって押し上げられている中板１５上に積載されている。又、給紙トレイ１２上にセットされた複数枚の記録紙Ｓは、後端側の支軸１６を中心に上下の方向に回動可能であり、且つ、先端側を押上げばね１７によって押し上げられている中板１８上に積載されている。
給紙カセット１１内にセットされている記録紙Ｓは、反時計回り方向に１回転する半月状の繰り出しローラ１９によって最上位の記録紙から順に繰り出される。給紙トレイ１２上にセットされている記録紙Ｓも、時計回り方向に１回転する繰り出しローラ２０によって最上位の記録紙から順に繰り出される。
給紙カセット１１又は給紙トレイ１２から繰り出された記録紙Ｓは、反時計回り方向に回転している大径の搬送ローラ２１によって感光ドラム２２と同感光ドラム２２に従動回転している転写ローラ２３との間の転写部へと送られる。
転写部を通過する記録紙Ｓ上には、感光ドラム２２上のトナー像が転写ローラ２３によって順次転写（記録）されていく。尚、時計回り方向に回転している感光ドラム２２上には次のようにしてトナー像が形成される。即ち、コンピュータ等から送られた情報に基づいてレーザースキャナ２４がレーザー光（光像）Ｌを発射する。このレーザー光Ｌは、折返しミラー２５によって折り返えされて感光ドラム２２上に投影される。これにより、時計回り方向に回転している感光ドラム２２上には順次静電潜像が形成され、この静電潜像は、プロセスカートリッジ２６に内蔵されている不図示の現像器から供給されるトナーによって顕画化され、トナー像が形成される。
転写部においてトナー像の転写を終えた記録紙Ｓは、定着装置２７へと送られ、定着ローラ２７ａと加圧ローラ２７ｂの間のニップを通過する過程で加熱及び加圧されてトナー像の定着処理がなされる。
定着装置２７においてトナー像の定着処理を終えた記録紙Ｓは、排紙ローラ対２８へと送られ、同排紙ローラ対２８によって機外の排紙トレイ２９上へ排紙される。
【００１２】
図５において、２０００はホストコンピュータで、ＲＯＭ３のプログラム用ＲＯＭに記憶された文書処理プログラム等に基づいて図形、イメージ、文字、表（表計算等を含む）等が混在した文書処理を実行するＣＰＵ１を備え、システムデバイス４に接続される各デバイスをＣＰＵ１が総括的に制御する。
【００１３】
又、このＲＯＭ３のプログラム用ＲＯＭには、ＣＰＵ１の制御プログラム等を記憶し、ＲＯＭ３のフォント用ＲＯＭには上記文書処理の際に使用するフォントデータ等を記憶し、ＲＯＭ３のデータ用ＲＯＭは上記文書処理等を行う際に使用する各種データを記憶する。２はＲＡＭで、ＣＰＵ１の主メモリ、ワークエリア等として機能する。
【００１４】
５はキーボードコントローラ（ＫＢＣ）で、キーボード９や不図示のポインティングデバイスからのキー入力を制御する。６はＣＲＴコントローラ（ＣＲＴＣ）で、ＣＲＴディスプレイ（ＣＲＴ）１０の表示を制御する。７はメモリコントローラ（ＭＣ）で、ブートプログラム、種々のアプリケーション、フォントデータ、ユーザファイル、編集ファイル等を記憶するハードディスク（ＨＤ）、フロッピーディスク（ＦＤ）等の外部メモリ１１とのアクセスを制御する。８はプリンタコントローラ（ＰＲＴＣ）で、所定の双方向性インタフェース（インタフェース）２１を介してプリンタ１０００に接続されて、プリンタ１０００との通信制御処理を実行する。
【００１５】
尚、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。又、ＣＰＵ１は、ＣＲＴ１０上の不図示のマウスカーソル等で指示されたコマンドに基づいて登録された種々のウインドウを開き、種々のデータ処理を実行する。
【００１６】
プリンタ１０００において、１２はプリンタＣＰＵで、ＲＯＭ１３のプログラム用ＲＯＭに記憶された制御プログラム等或は外部メモリ１４に記憶された制御プログラム等に基づいてシステムバス１５に接続される各種のデバイスとのアクセスを総括的に制御し、印刷部インタフェース１６を介して接続される印刷部（プリンタエンジン）１７に出力情報としての画像信号を出力したり、スキャナ部ＩＦを会して接続されるスキャナ部（スキャナエンジン）２４からの入力情報を処理したりする。又、このＲＯＭ１３のプログラムＲＯＭには、実施例１のフローチャートで示されるようなＣＰＵ１２の制御プログラム等を記憶しても良い。
【００１７】
ＲＯＭ１３のフォント用ＲＯＭには上記出力情報を生成する際に使用するフォントデータ等を記憶し、ＲＯＭ１３のデータ用ＲＯＭにはハードディスク等の外部メモリ１４が無いプリンタの場合には、ホストコンピュータ上で利用される情報等を記憶している。ＣＰＵ１２は、ネットワークＩＦ１８を介してホストコンピュータとの通信処理が可能となっており、プリンタ内の情報等をホストコンピュータ２０００に通知可能に構成されている。又、ネットワークＩＦ１８は、ネットワーク通信路２５に接続しインターネット３０００へのアクセスが可能に構成されている。
【００１８】
１９はＣＰＵ１２の主メモリ、ワークエリア等として機能するＲＡＭで、図示しない増設ポートに接続されるオプションＲＡＭによりメモリ容量を拡張することができるように構成されている。尚、ＲＡＭ１９は、出力情報展開領域、環境データ格納領域、ＮＶＲＡＭ等に用いられる。
【００１９】
前述したハードディスク（ＨＤ）、ＩＣカ−ド等の外部メモリ１４は、メモリコントローラ（ＭＣ）２０によりアクセスを制御される。外部メモリ１４は、オプションとして接続され、フォントデータ、エミュレーションプログラム、フォームデータ等を記憶する。又、１８は前述した操作パネルで操作のためのスイッチ及びＬＥＤ表示器等が配されている。
又、前述した外部メモリは１個に限らず、少なくとも１個以上備え、内蔵フォントに加えてオプションフォントカード、言語系の異なるプリンタ制御言語を解釈するプログラムを格納した外部メモリを複数接続できるように構成されていても良い。更に、図示しないＮＶＲＡＭを有し、操作パネル１０１２からのプリンタモード設定情報を記憶するようにしても良い。２１は原稿読み取り部で、原稿等を読み取り出力として画像データを生成する。
【実施例１】
【００２０】
先ず、本実施例におけるプリンタは、予め設定された時刻にインターネットにアクセスし、予め設定されたＵＲＬに存在するコンテンツをダウンロードするものとする。又、本実施例では、仮にそのコンテンツがインターネット上に配信されるニュース（コンテンツ）だとして説明を進める。
【００２１】
図３は本実施例におけるプリンタがインターネット上のニュースをダウンロードして、プリンタ内部に記憶する際の処理手順を示したフローチャートである。
【００２２】
以下、このフローチャートに従い順に説明する。
【００２３】
ステップＳ３０１において、プリンタはニュースのダウンロード開始時間（予め設定されている）かどうかをチェックし、ダウンロード時間であればステップＳ３０３へ、そうでなければステップＳ３０２へ進む。
【００２４】
ステップＳ３０２において、プリンタはダウンロード処理とは無関係の別処理を行う。
【００２５】
ステップＳ３０３において、アクセスするＵＲＬの情報を獲得する。これは予め設定されプリンタ内部に記憶されていたものである。
【００２６】
ステップＳ３０４において、プリンタはステップＳ３０３で獲得した情報に含まれたＵＲＬにアクセスする。
【００２７】
ステップＳ３０５において、アクセスしたＵＲＬからニュースを獲得する。つまり、ニュースを構成するハイパーテキストとハイパーテキストからリンクされる情報を全て獲得し、プリンタ内部の記憶領域に確保する。
【００２８】
ステップＳ３０６において、獲得したデータのグループ分けを行う。例えば、テキストデータはテキストデータ同士、イメージデータはイメージデータ同士というように、データの種類によってひとまとめにする。詳細については後で図４と図５を用いて説明する。
【００２９】
ステップＳ３０７において、プリンタ内部の情報として新しくニュースを獲得したことを記録する。
【００３０】
ステップＳ３０８において、プリンタ内部確保したニュースをユーザに伝えるため、例えばプリンタの操作部にニュースの内容や配信日時等を一覧で表示する。
【００３１】
以上が本実施例のプリンタがインターネット上のコンテンツを獲得する際の処理手順である。
【００３２】
次に、図３ステップＳ３０６の処理について詳細を説明する。図４は図３のステップＳ３０６中で行われる処理を示したフローチャートである。
【００３３】
ステップＳ４０１において、ハイパーテキストのリンク情報をチェックする。
【００３４】
ステップＳ４０２において、リンク先の情報がテキストデータだった場合はステップＳ４０３へ、そうでない場合はステップＳ４０４へ進む。
【００３５】
ステップＳ４０３において、リンク先のテキストデータをプリンタ内部に記憶するが、その際、ハイパーテキストからリンクされるテキストデータ同士でリンクを張りながら記憶する。このリンクの張り方については図５に示す。
【００３６】
ステップＳ４０４において、リンク先の情報がイメージデータだった場合はステップＳ４０５へ、そうでない場合はステップＳ４０６へ進む。
【００３７】
ステップＳ４０５において、リンク先のイメージデータをプリンタ内部に記憶するが、その際、ハイパーテキストからリンクされるイメージデータ同士でリンクを張りながら記憶する。このリンクの張り方については図５に示す。
【００３８】
ステップＳ４０６において、リンク先の情報が動画データだった場合はステップＳ４０７へ、そうでない場合はステップＳ４０８へ進む。
【００３９】
ステップＳ４０７において、リンク先の動画データをプリンタ内部に記憶するが、その際、ハイパーテキストからリンクされる動画データ同士でリンクを張りながら記憶する。このリンクの張り方については図５に示す。
【００４０】
ステップＳ４０８においてハイパーテキストを終端まで参照したかチェックする。終端まで参照したら本処理を終了する。未だ終端でない場合は、ステップＳ４０１へ戻り、ハイパーテキストのリンク情報のチェックを続ける。
【００４１】
以上が本実施例のプリンタがインターネット上のニュースを獲得し、プリンタ内部に格納する際の処理である。このよう処理でプリンタが獲得したニュース（コンテンツ）は、プリンタ内で図５のように記憶される。
【００４２】
プリンタが獲得したニュース（コンテンツ）は、ハイパーテキスト５０１〜５０８で示される（５０１〜５０８全てで１つのハイパーテキストであり、５０１，５０２，５０３，…，５０８のそれぞれはハイパーリンクを意味する）。実際にはこのようなハイパーテキストがプリンタ内に複数格納される。
【００４３】
ハイパーテキスト５００は、プリンタがこのハイパーテキストの情報を格納するためにプリンタ自身が付加した情報である。５００〜５０９，５１４，５１８へのリンクが張られる。５０９，５１４，５１８は、それぞれテキストデータ・リスト、イメージデータ・リスト、動画データ・リストへのエントリポインタである。
【００４４】
エントリポインタ５０９から示されるテキストデータ・リスト（５１０〜５１２）には、ハイパーテキストの先頭から最後までを参照した場合に、リンク先情報として登場するテキストデータが順々に並べられ、前後のテキストデータ同士でリンクが張られる。
【００４５】
同様にエントリポインタ５１４が指すイメージデータ・リスト（５１５〜５１６）には、ハイパーテキストからリンクされるイメージデータが、エントリポインタ５１８が指す動画データ・リスト（５１９〜ｎ）には、ハイパーテキストからリンクされる動画データが、先頭から順々に並べられ、前後でリンクが張られる。
【００４６】
５１３，５１７，５１２はそれぞれテキストデータ・リスト、イメージデータ・リスト、動画データ・リストの終端を示す情報である。
【００４７】
図６は本実施例におけるプリンタが、ユーザの指示によってプリンタ内に格納したニュース（コンテンツ）を転送する際の処理手順を示したフローチャートである。
【００４８】
ステップＳ６０１において、プリンタは内部に格納されたニュース（コンテンツ）の一覧等をユーザに表示する。
【００４９】
ステップＳ６０２において、ユーザはプリンタに対してニュースの参照を指示する。
【００５０】
ステップＳ６０３において、プリンタはユーザの指示をチェックする。印刷の場合はステップＳ６０４へ、そうでなければステップＳ６０６へ進む。ステップ６０４は進むことは、従来の印刷処理と全く変わらない。
【００５１】
ステップＳ６０４において、プリンタはユーザが選択したニュース（コンテンツ）を印刷可能な中間データに変換する。
【００５２】
ステップＳ６０５において、プリンタは中間データを出力画像に展開し印刷を行う。
【００５３】
ステップＳ６０６において、プリンタはユーザの指示をチェックする。転送の場合はステップＳ６０７へ進み、そうでなければステップＳ６０１へ戻る。
【００５４】
ステップＳ６０７において、プリンタはユーザに対してニュースの転送先の入力を促す。
【００５５】
ステップＳ６０８において、プリンタはユーザに対して転送すべき情報の選択を促す。例えば、図５に示したようなニュースの場合、転送する情報の選択肢として上がるのは「テキストデータ」「イメージデータ」「動画データ」の３つになる。図８はこのようなときにプリンタの操作部に表示されるダイアログを示した例である。
【００５６】
ステップＳ６０９において、プリンタはユーザが転送のための設定を終了したかどうかをチェックする。終了を確認したらステップＳ６１０へ、確認できない場合はステップＳ６０６へ戻り、ユーザによる転送情報の入力処理を続ける。
【００５７】
ステップＳ６１０において、プリンタはユーザが参照したニュース（コンテンツ）からユーザが選択した情報だけを、ユーザが指定した転送先に転送する。図７はこのプリンタの転送処理を更に詳細に示したフローチャートである。図５を参照しながら図７の説明を行う。
【００５８】
ステップＳ７０１において、プリンタはユーザが指定した転送先情報を獲得する。
【００５９】
ステップＳ７０２において、プリンタはユーザが選択した転送したいデータの情報を獲得する。
【００６０】
ステップＳ７０３において、プリンタはユーザがテキストデータの転送を希望しているかどうかをチェックする。ユーザが希望していると判断した場合はステップＳ７０４へ、そうでない場合はステップＳ７０８へ進む。
【００６１】
ステップＳ７０３において、プリンタはテキストデータがリンクされるエントリポインタ（５０９）（図５の５０９を参照。以下同様）を参照する。
【００６２】
ステップＳ７０５において、プリンタは参照するデータをエントリポインタ（５０９）から次の参照ポインタ（５１０）へ更新する。
【００６３】
ステップＳ７０６において、プリンタは参照ポインタが終端データ（５１３）かどうかをチェックする。終端データならばステップＳ７０８へ、そうでなければステップＳ７０７へ進む。
【００６４】
ステップＳ７０７において参照ポインタが保持しているテキストデータを、ステップＳ７０１で獲得した転送先に転送する。
【００６５】
ステップＳ７０８からステップＳ７１２はイメージデータについて、ステップＳ７１３からステップＳ７１７は動画データについて、テキストデータと同様の処理を行う。
何れもステップＳ７０３からステップＳ７０７と同様の処理なので説明は省略する。ステップＳ７０３からステップＳ７１７の処理が終了すると、転送処理は終了する。
【産業上の利用可能性】
【００６６】
本発明は、印刷装置に適用してデータの用途にあった転送を可能とすることができる。
【図面の簡単な説明】
【００６７】
【図１】本発明の実施例におけるプリンタの構成図を示した図である。
【図２】本発明の実施例におけるプリンタ制御システムの構成を示したブロック図である。
【図３】本発明の実施例におけるプリンタがインターネット上のコンテンツを獲得する際の処理を示したフローチャートである。
【図４】本発明の実施例におけるプリンタがインターネットから獲得したコンテンツをデータ毎にグルーピングする際の処理を示したフローチャートである。
【図５】本発明の実施例のプリンタがインターネット上のコンテンツを格納した場合に実際に格納されたデータの構成を示した図である。
【図６】本発明の実施例のプリンタに対し、ユーザがコンテンツの転送を依頼した際の処理を示したフローチャートである。
【図７】本発明の実施例におけるプリンタの転送処理の詳細を示したフローチャートである。
【図８】本発明の実施例におけるプリンタが図６のステップＳ６０８において操作部に表示するダイアログの例を示す図である。
【符号の説明】
【００６８】
１      プリンタ本体
２      原稿読み取り部
３      画像データ記録部
４      原稿台
５      繰り出しローラ
６      搬送ローラ
７      読み取りスキャナ
８      搬送ローラ対
９      排紙ローラ対
１０    排紙トレイ
１１    給紙カセット
１２    給紙カセット
１３    支軸
１４    押し上げばね
１５    中板
１６    支軸
１７    押し上げばね
１８    中板
１９    繰り出しローラ
２０    繰り出しローラ
２１    搬送ローラ
２２    感光ドラム
２３    転写ローラ
２４    レーザースキャナ
２５    折り返しミラー
２６    プロセスカートリッジ
２７    定着装置
２７ａ  定着ローラ
２７ｂ  加圧ローラ
２８    排紙ローラ対
２９    排紙トレイ
Ｌ      レーザ光
Ｓ      記録紙
【図１】
2005229520.tif 000003
【図２】
2005229520.tif 000004
【図３】
2005229520.tif 000005
【図４】
2005229520.tif 000006
【図５】
2005229520.tif 000007
【図６】
2005229520.tif 000008
【図７】
2005229520.tif 000009
【図８】
2005229520.tif 000010